(57)【要約】  本発明は、コア材料層（１０）に穴を設けるための切削工具（１００）に関する。切削工具（１００）は、コア材料層（１０）を突き通すように構成された切れ刃（１１２）を有する切削ナイフ（１１０）と、切削ナイフ（１１０）が取り付けられる支持構造（１２０）とを含み、支持構造（１２０）は、少なくとも部分的に弾性材料によって形成される。【選択図】  図３
2019514717.tif 000002
【特許請求の範囲】
【請求項１】
コア材料層（１０）に穴を設けるための切削工具（１００）であって、
前記コア材料層（１０）を突き通すように構成された切れ刃（１１２）を有する切削ナイフ（１１０）と、
前記切削ナイフ（１１０）が取り付けられる支持構造（１２０）であって、少なくとも部分的に弾性材料によって形成される支持構造（１２０）と、
を含む切削工具（１００）。
【請求項２】
前記切削ナイフ（１１０）は、前記切れ刃（１１２）が延在する剛性ベース部材（１１４）を含む、請求項１に記載の切削工具（１００）。
【請求項３】
前記支持構造（１２０）は、弾性部材（１２２）と剛性支持プレート（１２４）とを含み、前記弾性部材（１２２）は、前記剛性支持プレート（１２４）と前記切削ナイフ（１１０）との間に配置される、請求項１または２に記載の切削工具（１００）。
【請求項４】
前記切れ刃（１１２）は、閉鎖経路に沿って延在する、請求項１〜３のいずれか一項に記載の切削工具（１００）。
【請求項５】
前記閉鎖経路は、円形状を有する、請求項４に記載の切削工具（１００）。
【請求項６】
切削デバイス（１５０）であって、ローラー（１５２）と、前記ローラー（１５２）の外周に配置されている、請求項１〜５のいずれか一項に記載の少なくとも１つの切削工具（１００）とを含む切削デバイス（１５０）。
【請求項７】
複数の切削工具（１００）は、前記ローラー（１５２）の前記外周に沿って配置される、請求項６に記載の切削デバイス（１５０）。
【請求項８】
切削システム（２００）であって、請求項１〜５のいずれか一項に記載の少なくとも１つの切削工具（１００）と、使用中にコア材料層（１０）を支持し、かつ前記少なくとも１つの切削工具（１００）に係合するためのアンビル（２２０）とを含む切削システム（２００）。
【請求項９】
前記アンビル（２２０）は、剛性材料によって形成される、請求項８に記載の切削システム（２００）。
【請求項１０】
前記アンビル（２２０）は、アンビルローラー（２３０）の一部を形成し、前記切削工具（１００）は、請求項６または７に記載の切削デバイス（１５０）の一部を形成する、請求項８または９に記載の切削システム（２００）。
【請求項１１】
前記アンビルローラー（２３０）の円周に沿って配置された複数の切削デバイス（１５０）を含む、請求項１０に記載の切削システム（２００）。
【請求項１２】
前記少なくとも１つの切削デバイス（１５０）は、前記アンビルローラー（２３０）に対して半径方向に可動である、請求項１０または１１に記載の切削システム（２００）。
【請求項１３】
コア材料層に貫通穴を設けるための方法であって、
コア材料層を剛性アンビルの支持面上に配置し、
切削工具の円周方向切れ刃を、前記コア材料層が切削されると同時に前記切削工具の支持構造が変形されるように前記コア材料層に押し付ける、
方法。
【請求項１４】
包装材料を提供するための方法であって、
コア材料層を準備し、
請求項１３に記載の方法を実施することにより、前記コア材料層に少なくとも１つの貫通穴を設け、
前記切削されたコア材料層に少なくとも１つのポリマー層を設ける、
方法。
【発明の詳細な説明】
【技術分野】
【０００１】
本発明は、特に包装材料などの材料のウェブまたはシートにおける切削準備特徴部の分野、特にそのような包装材料のための切削工具および切削方法に関する。
【背景技術】
【０００２】
流動食を包み込みかつ保存するための容器などの製品容器を形成するために、板紙ベースの包装材料を使用することが一般に知られている。
【０００３】
例えば、食品の安全性および完全性に関して必要とされる最終的なパッケージの品質を確保するために、包装材料は、異なる層を含み得る。例として、積層包装材料は、板紙であって、少なくとも１つの第１プラスチック層が、最終的なパッケージの外面を構成するその一方側に施され、および１つまたは複数の第２プラスチック組成物または層が反対側または内側に施された板紙を含み得る。第２プラスチック組成物は、場合によりアルミニウム箔などの保護層へ積層され得、積層材料は、したがって、通常、最終的なパッケージに含まれることを意図された製品に接触する内側に外側または遠位層も含む。
【０００４】
最終的なパッケージにキャップまたはクロージャーが設けられる場合、包装材料に対する調整が行われる必要がある。任意の追加的な層が板紙に施される前に、板紙は、その目的のための穴を組み込むことにより、キャップが後に施されることに対して適合されることが既知である。穴を作ることを必要とする別の用途は、例えば、ストロー穴を有する包装である。
【０００５】
そのような穴は、通常、積層に先立って、すなわち何らかのポリマー層が最終的な包装材料を形成するために追加される前に板紙に切り込まれる。切削プロセスは、切削工具、例えば打抜きナイフを嵌め合いアンビルに逆らって動くように作動させることによって実施される。作動中、切削される板紙は、雄型工具を形成する打抜きナイフと、雌型工具を形成する嵌め合いアンビルとの間に位置付けられる。
【０００６】
高精度な切削を達成するために、雄型工具および雌型工具を完璧に整列させて配置することが最も重要である。工具間に何らかのオフセットがあると、穴が適切に切削されず、または雄および／もしくは雌型工具が損傷を受けることになる。
【０００７】
包装材料の製造は、４００メートル毎分を遥かに超える極めて高速で作動する。工具間に何らかの不整合がある場合、誤差が時間内に検出されないと莫大な量の包装材料が浪費されることが容易に理解される。
【０００８】
材料の浪費のリスクを減少させ、かつ穴切削プロセス全体の費用効率性を向上させるため、必要とされる工具の校正および整列を達成するのに丸１日超を費やすことは珍しいことではない。
【０００９】
これを考慮して、先行技術の欠点を少なくとも部分的に克服するために、より効率的でありかつより敏感でない切削工具を有することが望ましいであろう。
【発明の概要】
【発明が解決しようとする課題】
【００１０】
本発明の目的は、上記の問題を解決することである。
【課題を解決するための手段】
【００１１】
第１態様によると、コア材料層に穴を設けるための切削工具が提供される。切削工具は、コア材料層を突き通すように構成された切れ刃を有する切削ナイフと、切削ナイフが取り付けられる支持構造であって、少なくとも部分的に弾性材料によって形成される支持構造とを含む。
【００１２】
実施形態において、切削ナイフは、剛性ベース部材であって、それから切れ刃が延在する、剛性ベース部材を含む。これは、切れ刃が剛性ベース部材と同じ材料で形成され得るため、切削ナイフの製造を円滑にする。
【００１３】
支持構造は、弾性部材と剛性支持プレートとを含み得、前記弾性部材は、剛性支持プレートと切削ナイフとの間に配置される。これは、切削ナイフ全体が弾性的に支持され得るという点で有利である。
【００１４】
実施形態において、切れ刃は、閉鎖経路に沿って延在し、この閉鎖経路は、円形状を有し得る。したがって、切削工具は、穴、例えば円形の開口穴を包装材料に設けるために特に有利であり得る。
【００１５】
第２態様によると、切削デバイスが提供される。切削デバイスは、ローラーと、前記ローラーの外周に配置されている、第１態様による少なくとも１つの切削工具とを含む。これは、穴がローラーの回転中に切削され得るため、高速作動を可能にする。
【００１６】
実施形態において、複数の切削工具は、前記ローラーの外周に沿って配置される。
【００１７】
第３態様によると、切削システムが提供される。切削システムは、第１態様による少なくとも１つの切削工具と、使用中にコア材料層を支持し、かつ少なくとも１つの切削工具に係合するためのアンビルとを含む。
【００１８】
アンビルは、例えば、アンビルローラーの一部を形成することにより、剛性材料によって形成され得、および切削工具は、第２態様による切削デバイスの一部を形成し得る。
【００１９】
実施形態において、切削システムは、前記アンビルローラーの円周に沿って配置された複数の切削デバイスを含み、これは、極めて多目的な切削システムが提供されるように、各切削デバイスが特定の包装材料および／または穴の寸法のために構成され得るという点で有利である。
【００２０】
サービスおよび／または補修管理を円滑にするために、少なくとも１つの切削デバイスは、前記アンビルローラーに対して半径方向に可動であり得る。切削デバイスが交換または他の行為を必要とする場合、切削システム全体を停止する必要はない。
【００２１】
第４態様によると、コア材料層にスリットまたは貫通穴を設けるための方法が提供される。本方法は、コア材料層を剛性アンビルの支持面上に配置することと、切削工具の円周方向切れ刃を、コア材料層が切削されると同時に切削工具の支持構造が変形されるように前記コア材料層に押し付けることとを含む。
【００２２】
第５態様によると、包装材料を提供するための方法が提供される。本方法は、コア材料層を提供することと、第４態様による方法を実施することにより、前記コア材料層に少なくとも１つの貫通穴を設けることと、ポリマー層が、切削穴を含むコア層全体を覆うように、切削されたコア材料層を少なくとも１つのポリマー層に積層することとを含む。
【図面の簡単な説明】
【００２３】
【図１ａ−ｃ】先行技術による打抜きプロセスの概略図である。
【図２】本実施形態による切削工具を有する切削システムの概略図である。
【図３】本実施形態による切削工具の断面図である。
【図４】さらなる実施形態による切削システムの概略図である。
【図５】本実施形態による方法の概略図である。
【発明を実施するための形態】
【００２４】
図１ａ〜ｃから始めると、先行技術による、コア材料層１０に貫通穴を設けるための一般的な方法が説明される。図１ａにおいて、コア材料層１０は、剛性支持面１２上に配置される。例えば、金属によって形成された支持面１２は、雌型工具１４がその中に配置される凹部を有する。雌型工具１４は、雄型打抜き工具１６を受けるように寸法決めされる。このために、雌型工具１４には、雄型打抜き工具１６の切れ刃１７を受けるように適合された幅を有する環状溝１５が設けられる。雄型打抜き工具１６が下方に移動するにつれ、切れ刃１７は、コア材料層１０全体が穿孔されるまでコア材料層１０を突き通す。図１ｂにおいて最もよく示されたこのポイントで、雄型打抜き工具１６の切れ刃１７は、雌型工具１４の溝１５に受け入れられる。雄型打抜き工具１６が上向きに後退するにつれ、切削部分１８は取り出され得る。図１ａ〜ｃから明らかであるとおり、雄型工具１６に対する雌型工具１４の整列は、切れ刃１７が雌型工具１６の溝１５に受け入れられるために極めて重要である。
【００２５】
先行技術システムの説明から明らかなとおり、雄型工具１６と雌型工具１４との間に何らかの不整合があった場合、雄型工具１６の切れ刃１７が雌型工具１４の一部に接触するリスクが生じる。コア材料層１０の良好な切削を提供するために、雌型工具１４の溝１５の幅は、溝１５の壁と雄型工具１６の切れ刃１７との間に緊密な適合度があるように寸法決めされなければならないため、この特定のリスクは、なお一層問題となる。雌型工具１４に対する雄型工具１６の極めて小さい傾斜または変位は、結果的な切削の品質低下と、さらに雄型工具１６、雌型工具１４または両方の損傷との原因となる。
【００２６】
ここで、図２を見ると、実施形態による改良された切削システム２００が示されている。以下で説明されるとおり、切削システム２００は、切削システム２００の部品間の整列の必要性を大幅に減少させる。
【００２７】
切削システム２００は、切削工具１００が取り付けられたローラー１５２の形態の切削デバイス１５０を含む。ローラー１５２は、アンビルローラー２３０の形態のアンビル２２０に対して回転するように構成される。アンビル２２０は、剛性外面を有する。包装材料の一部を形成するため、後に説明されるコア材料層１０のウェブが１つまたは複数の案内ローラー２０２、２０４、２０６、２０８を介して切削システム２００を通して供給される。好ましくは、アンビルローラー２３０の直径は、コア材料層の切削される部分が、切削工具１００がコア材料層１０に係合するときに実質的に平坦となることを可能にするために、切削ローラー１５２の直径より実質的に大きい。したがって、切削ローラー１５２がアンビルローラー２３０に対して回転されると、切削工具１００は、コア材料層１０に定期的に接触し、それによりコア材料層１０から穴が切り抜かれる。図２を参照して説明されるとおり回転システムを用いることにより、切削システム２００を極めて高速で作動させることが可能である。さらに、コア材料層１０の供給速度に対する切削ローラー１５２の回転速度を調整することにより、コア材料層１０における切欠き／穴の最終位置を制御することが比較的容易である。
【００２８】
ここで、図３を見ると、切削工具１００のより詳細な図が示されている。切削工具１００は、切削ナイフ１１０であって、コア材料層１０に穴を形成するためにコア材料層１０の切欠き部分１８が除去され得るように、コア材料層１０を突き通すように構成された円周方向切れ刃１１２を有する切削ナイフ１１０を含む。
【００２９】
切削ナイフ１１０には、好ましくは、剛性ベース部材１１４であって、それから切れ刃１１２が延在する、剛性ベース部材１１４が設けられ、剛性ベース部材１１４は、平坦な形状を有し得、切削ナイフ１１０およびその関連する切れ刃は、剛性ベース部材１１４から切削されるコア材料層１０に向かう方向に外向きに突出する。
【００３０】
切削ナイフ１１０は、いくつかの実施形態において、剛性ベース部材１１４と一体的に形成され得る。切削システム２００の高い堅牢性および正確さを達成するために、切削ナイフ１１０および剛性支持部材１１４は、鋼または他の任意の好適な金属で作られ得る。
【００３１】
コア材料層１０に円形の穴を設けるために、切削ナイフ１１０は、円形の円周方向形状を有し得、これは、切れ刃１１２が切削工具１００の円形状の遠位外周を形成することを意味する。したがって、切削ナイフ１１０は、コア材料層１０に向かって延在する管状体であり得、切削ナイフ１１０の遠位端部は、切れ刃１１２を形成する。述べたとおり、切削ナイフ１１０の管状体の断面は、コア材料層１０に円形の穴を設けるために円形であり得るが、しかしながら、穴のために他の形状が好ましい場合、切削ナイフ１１０の管状体の断面は相応して構成されるべきである。切削ナイフ１１０、およびしたがってコア材料層１０における結果的な穴の他の形状は、例えば、楕円形、長方形、三角形などであり得る。切削ナイフ１１０の他の形状および寸法も用いられ得ることが認められなければならず、例えば、切削ナイフ１１０は、直線または曲線のスリットまたは穿孔ラインを提供するように構成され得る。
【００３２】
剛性ベース部材１１４は、少なくとも部分的に弾性材料によって形成される支持構造１２０上に配置される。支持構造１２０の弾性特性は、切削工具１００がアンビル２２０に押し付けられるときの支持構造１２０の小さい変形を可能にする。通常、半径方向に０．００３〜０．０１ｍｍ内のそのような変形を可能にすることにより、切削動作のプロセスウィンドウが著しく増大し、したがって良好な結果を依然として提供しつつ、装置および／またはコア材料層１０に損害を与えるリスクを低下させる。
【００３３】
作動中、切削ローラー１５２とアンビルローラー２３０との間の距離は、切削工具１０がコア材料層１０を穿孔したときに切れ刃１１２が実際にアンビル２２０の平坦面に接触するように設定され、「平坦な」という用語により、任意の連続的な面、例えばアンビルローラー２３０の半径の結果として提供されるわずかに凸状の表面が含まれることが意図されることが理解されるべきである。アンビル面は平坦であるため、いずれの雌型工具も整列の必要性はなく、したがって必要とされる切削システム２００のためのセットアップ時間を大幅に減らす。
【００３４】
支持構造１２０の変形性は、この特定の実施形態において、剛性ベース部材１１４の、コア材料層１０に面する側の反対側における切削ナイフ１１０の剛性ベース部材１１４に接触して配置された弾性部材１２２によって実現される。作動中、すなわち切削ナイフ１１０がアンビル２２０に押し付けられるときに切削ナイフ１１０に作用する反力は、したがって、切れ刃１１２から、相応して変形する弾性部材１２２へ伝えられる。好ましくは、弾性部材１２２は、硬化ゴムで作られるが、他の材料も使用され得る。
【００３５】
弾性部材１２２は、好ましくは、剛性支持プレート１２４上に配置される。剛性支持プレート１２４は、例えば、アンビルローラー２３０のコアシリンダを形成し得る。このような場合、剛性支持プレート１２４は、弾性部材１２２が取り付けられ得る凸状外面を受ける。他の実施形態において、剛性支持プレート１２４は、アンビルローラー２３０の凸状表面への取付けのためのアダプタを形成する。支持構造１２０の剛性ベース部材１１４について既に提案されたとおり、切削ナイフ１１０の剛性支持プレート１２４は、例えば、鋼で作られ得る。
【００３６】
ここで、図４を見ると、切削システム２００の別の実施形態が示される。切削システム２００は、図２を参照して説明されたローラー２３０と同様のアンビルローラー２３０を含み、すなわち、ローラー２３０は、切削プロセスのための剛性アンビル２２０を形成する。
【００３７】
好ましくは、剛性アンビル２２０は、切削される穴の寸法に対応する寸法を有する小さい領域が、この説明に関連して平坦であるように連続的な外面を有する。
【００３８】
切削システム２００は、複数の切削デバイス１５０をさらに含み、各切削デバイス１５０は、１つまたは複数の切削工具１００を有する。本例において、５つの切削デバイス１５０が設けられ、各切削デバイス１５０は、それぞれの切削ローラー１５２の円周に沿って離間された４つの切削工具１００を有する。しかしながら、任意の数の切削デバイス１５０および／または切削工具１００が、それらが利用可能な装置と適合する限り設けられ得る。
【００３９】
さらに、４つの切削工具１００が円周に沿って離間されている本例は、追加的な切削工具１００がそれぞれの切削ローラー１５２の軸方向に沿って設けられるように拡張され得ることに留意するべきである。したがって、本例を再び参照すると、各切削ローラー１５２に切削工具１００の列が設けられ得、切削工具１１０の各列は、ローラー１５２の軸方向延在部に沿って分布し、切削工具１００の隣接した列から円周方向に離間される。
【００４０】
他の実施形態において、切削工具１００は、コア材料層の穴のそれぞれの望ましい位置に依存して、軸方向および円周方向の両方に等しくない距離で分布され得る。
【００４１】
各切削ローラー１５２に例えば複数の接続領域が設けられ得、切削工具１００は、例えば、ねじなどによって選択された接続領域に取り付けられ得る。切削工具１００が接続領域から半径方向に外向きに突出するため、切削システム２００は、切削工具１００を各接続領域に取り付ける必要なしに完全に機能する。
【００４２】
一実施形態において、１つまたは複数の切削デバイス１５０は、切削される特定のタイプの穴と関連し得る。したがって、切削デバイス１５０は、好ましくは、それらがアンビルローラー２３０に係合または接触するかまたはしないように制御され得るように、アンビルローラー２３０に対して半径方向に可動である。特定の穴タイプについて、切削デバイス１５０の１つまたは複数は、アンビルローラー２３０に係合するように移動される一方、別の穴タイプを提供するように構成された残りの切削デバイス１５０は、アンビルローラー２３０との係合から離れるように半径方向に移動する。この方法により、切削システムが依然として作動する一方、未使用の切削デバイスが相応して構成され得るため、穴のデザインを変更することが極めて容易である。また、切削工具１００のサービスおよび／または補修管理も、それが交換または修理される必要のある非作動切削工具１００である限り、切削システム２００の作動を止めることなく達成され得る。
【００４３】
例えば、特定のタイプのコア材料層が切削システム２００を通じて供給される場合、２つの異なる穴をコア材料層１０に設けることが望ましい場合がある。これは、コア材料層１０が、２つの隣接するが異なるパッケージタイプに対応する幅を有するウェブである場合に起こり得る。コア材料層１０のウェブの右側は、流動食製品の１０００ｍｌパッケージを形成することを意図される一方、コア材料層１０のウェブの左側は、例えば、流動食製品の２５０ｍｌパッケージを形成することを意図され得る。したがって、２つの異なるタイプの包装材料の皺ライン、積層および長手方向分離を提供するさらなるプロセスステップが必要とされる。しかしながら、コア材料層１０のそのようなウェブのために、ストロー穴をコア材料層１０の左側に設けるように設計された切削工具１００が１つの切削デバイス１５０に設けられ得る。したがって、切削工具１００は、ストロー穴がコア材料層の右側に作られないように特定の軸方向延在部にのみ分布され得る。同様に、開口デバイスのための穴をコア材料層１０の右側へ設けるように設計された切削工具１００が別の切削デバイス１５０に設けられ得る。この切削デバイスのために、切削工具１００は、穴がコア材料層１０のウェブの左側に作られないように特定の軸方向延在部にのみ分布され得る。
【００４４】
４００メートル毎分を遥かに超えるウェブ速度が用いられる場合、上述の切削システムは、高速作動にとって特に有利であることが分かっている。依然として、このために高速で正確な切削が達成される。
【００４５】
本実施形態によると、コア材料層に貫通穴を設けるための方法３００が図５に概略的に示される。方法３００は、コア材料層を剛性アンビルの支持面上に配置する第１ステップ３０４と、切削工具の円周方向切れ刃を、コア材料層が切削されると同時に切削工具の支持構造が変形されるように前記コア材料層に押し付ける第２ステップ３０６とを含む。好ましくは、図２〜４を参照して上述のように、切削工具およびアンビルは、切削システムの一部を形成する。
【００４６】
方法３００は、積層包装材料を提供するための方法のためにさらに構成され得る。そのような態様によると、方法３００は、コア材料層を提供する初期ステップ３０２と、ステップ３０６後に実施され、切削されたコア材料層に少なくとも１つのポリマー層が設けられる最終ステップ３０８とを含み、少なくとも１つのポリマー層は、穴の領域を含むその表面全体にわたってコア層に積層され、したがっていわゆる積層穴を形成する。
【００４７】
したがって、包装材料は、コア材料層と、外部層と、内部層とを含み、外部層および内部層は、少なくとも１つの穴が切り抜かれた後にコア材料層の両側に施される。コア材料層の一方側に施された外部層は、製造されるパッケージの外面を提供するように適合され、この外面および外部層は、パッケージの周囲に面する。内部層は、コア材料層の他方側に施され、かつ製造されるパッケージに含まれる材料に接触する内面を提供するように適合される。
【００４８】
コア材料は、剛性を包装材料に提供するためのシートであり得、かつ好ましくはコア材料またはボール紙で作られ得る。
【００４９】
外部層は、コア材料層に施されたポリマー材料の少なくとも１つの層を含み得る。さらに、外部層を構成する層の１つは、形成される包装の外面を構成する装飾層を覆う最外プラスチック層であり得る。
【００５０】
印刷層は、外部層に隣接してコア材料層上に含まれ得る。
【００５１】
内部層は、ポリマー材料の少なくとも１つの層を含み得る。
【００５２】
保護層は、コア材料層と内部層との間に存在し得る。保護層は、箔、例えば金属箔、好ましくはアルミニウム箔であり得る。保護層は、周囲温度でのパッケージにおける食品の栄養的価値および風味を維持するために酸素から保護する。
【００５３】
加えて、積層が保護層とコア材料層との間に存在し得る。積層は、ポリマー材料の少なくとも１つの層であり得る。
【００５４】
一実施形態によると、パッケージに含まれる材料に接触する完成したパッケージの内部のための包装材料の層は、コア材料層から始まり、積層と、保護層と、シーリング層とを含む。積層は、コア材料が施された任意の保護層に接着接合することを可能にする。シーリング層は、シーリング層の両面の熱溶接により、パッケージシーリングを可能にする。
【００５５】
包装材料のポリマー層は、任意のタイプのポリマー材料、好ましくはポリエチレンなどのプラスチック材料であり得る。
【００５６】
異なるタイプの容器を包装材料から得ることができる。本発明による包装材料または容器は、好ましくは液体であり得る食料品のために使用され得る。
【図１ａ−ｃ】
2019514717.tif 000003
【図２】
2019514717.tif 000004
【図３】
2019514717.tif 000005
【図４】
2019514717.tif 000006
【図５】
2019514717.tif 000007
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
コア材料層（１０）に穴を設けるための切削工具（１００）であって、
前記コア材料層（１０）を突き通すように構成された切れ刃（１１２）を有する切削ナイフ（１１０）と、
前記切削ナイフ（１１０）が取り付けられる支持構造（１２０）であって、少なくとも部分的に弾性材料によって形成される支持構造（１２０）と、を備え、
前記支持構造（１２０）は、弾性部材（１２２）と剛性支持プレート（１２４）とを含み、前記弾性部材（１２２）は、前記剛性支持プレート（１２４）と前記切削ナイフ（１１０）との間に配置される、
切削工具（１００）。
【請求項２】
前記切削ナイフ（１１０）は、前記切れ刃（１１２）が延在する剛性ベース部材（１１４）を含む、請求項１に記載の切削工具（１００）。
【請求項３】
前記切れ刃（１１２）は、閉鎖経路に沿って延在する、請求項１又は２に記載の切削工具（１００）。
【請求項４】
前記閉鎖経路は、円形状を有する、請求項３に記載の切削工具（１００）。
【請求項５】
切削デバイス（１５０）であって、ローラー（１５２）と、前記ローラー（１５２）の外周に配置されている、請求項１〜４のいずれか一項に記載の少なくとも１つの切削工具（１００）とを含む切削デバイス（１５０）。
【請求項６】
複数の切削工具（１００）は、前記ローラー（１５２）の前記外周に沿って配置される、請求項５に記載の切削デバイス（１５０）。
【請求項７】
切削システム（２００）であって、請求項１〜５のいずれか一項に記載の少なくとも１つの切削工具（１００）と、使用中にコア材料層（１０）を支持し、かつ前記少なくとも１つの切削工具（１００）に係合するためのアンビル（２２０）とを含む切削システム（２００）。
【請求項８】
前記アンビル（２２０）は、剛性材料によって形成される、請求項７に記載の切削システム（２００）。
【請求項９】
前記アンビル（２２０）は、アンビルローラー（２３０）の一部を形成し、前記切削工具（１００）は、請求項５または６に記載の切削デバイス（１５０）の一部を形成する、請求項７または８に記載の切削システム（２００）。
【請求項１０】
前記アンビルローラー（２３０）の円周に沿って配置された複数の切削デバイス（１５０）を含む、請求項９に記載の切削システム（２００）。
【請求項１１】
前記少なくとも１つの切削デバイス（１５０）は、前記アンビルローラー（２３０）に対して半径方向に可動である、請求項９または１０に記載の切削システム（２００）。
【請求項１２】
コア材料層に貫通穴を設けるための方法であって、
コア材料層を剛性アンビルの支持面上に配置し、
切削工具の円周方向切れ刃を、前記コア材料層が切削されると同時に前記切削工具の支持構造が変形されるように前記コア材料層に押し付け、前記支持構造は、弾性部材と剛性支持プレートとを含み、前記弾性部材は、前記剛性支持プレートと前記切削工具との間に配置され、前記剛性支持プレートは切削ローラーのコアシリンダを形成する、
方法。
【請求項１３】
包装材料を提供するための方法であって、
コア材料層を準備し、
請求項１２に記載の方法を実施することにより、前記コア材料層に少なくとも１つの貫通穴を設け、
前記切削されたコア材料層に少なくとも１つのポリマー層を設ける、
方法。
【国際調査報告】
2019514717.tif 000008
2019514717.tif 000009